(57)【要約】【課題】  記録媒体から再生される再生信号とクロック信号との位相差を正確に検出することが可能な位相検出装置、位相検出方法、該位相検出装置を備えた再生装置、再生方法を提供する。【解決手段】  位相同期回路３９がリミット位相ディテクタ４１を備えるので、例えば図４に示すゼロクロスのタイミング（Ｃ）が検出されたとき（ＳＴ６０５でＹＥＳ）、クロックカウンタ４７によるカウント値と所定の値とを比較し（ＳＴ６０６）、カウント値が所定の値より小さいときに（ＳＴ６０６でＮＯ）Ｃから次のクロックの立ち上がりまでの間、位相カウンタ５１をイネブルでない状態とすることができる。つまり、リミット位相ディテクタ４１（の位相カウンタ５１）の出力を無効にすることができる。この結果、例えばノイズ等の影響を受け易い所定カウント値より小さいパルス幅のＲＦ信号（入力信号）に基づき位相エラー信号が求められることを防止することができる。【選択図】図３
2010009637.tif 000002
【特許請求の範囲】
【請求項１】
記録マークが設けられた記録媒体にレーザ光を照射する照射手段と、
前記記録マークからの再生光を受光し電気信号を再生する再生手段と、
前記再生手段で再生された再生信号とこの再生信号から生成されたクロック信号との位相を比較して位相差信号を出力する位相比較手段と、
前記再生手段で再生された再生信号の波形に基づき、前記位相比較手段の出力の有効期間を制限する制限手段と
を具備する位相検出装置。
【請求項２】
請求項１に記載の位相検出装置であって、
前記制限手段は、
前記クロック信号のクロック数をカウントするカウンタと、
前記再生信号のレベルがゼロとなるタイミングを検出すると共に、前記クロック数をリセットするゼロクロス検出手段と、
前記カウンタによるカウント値と所定の値とを比較する比較手段と、
前記ゼロクロス検出手段により前記タイミングが検出されたとき、前記比較手段による比較の結果、カウント値が所定の値より小さいことが判定されたときから次の前記クロック信号の立ち上がりまでの間、前記位相比較手段の出力を無効にする切り替え手段と
を有する位相検出装置。
【請求項３】
請求項１に記載の位相検出装置であって、
前記制限手段は、
前記再生信号のレベルがゼロとなるタイミングを検出するゼロクロス検出手段と、
前記再生信号のレベルが所定レベル未満であるかを判定する判定手段と、
前記ゼロクロス検出手段により前記再生信号のレベルがゼロとなる第１のタイミングから次に前記再生信号のレベルがゼロとなる第２のタイミングまでの間、前記再生信号のレベルが所定レベル未満であったときに、前記第２のタイミングから次の前記クロック信号の立ち上がりまでの間、前記位相比較手段の出力を無効にする切り替え手段と
を有する位相検出装置。
【請求項４】
請求項１に記載の位相検出装置であって、
前記制限手段は、
前記再生信号のレベルがゼロとなるタイミングを検出するゼロクロス検出手段と、
前記再生信号のレベルがゼロとなる第１のタイミングでの前記再生信号のレベルの変化率が所定の値未満であるかを判定する判定手段と、
前記ゼロクロス検出手段により前記再生信号のレベルがゼロとなる第１のタイミングでの前記再生信号のレベルの変化率が所定の値未満であったときから次の前記クロック信号の立ち上がりまでの間、前記位相比較手段の出力を無効にする切り替え手段と
を有する位相検出装置。
【請求項５】
記録マークが設けられた記録媒体にレーザ光を照射し、
前記記録マークからの再生光を受光し電気信号を再生し、
前記再生された再生信号とこの再生信号から生成されたクロック信号との位相を比較して位相差信号を出力し、
前記再生された再生信号の波形に基づき、前記位相差信号の有効期間を制限する位相差検出方法。
【請求項６】
記録マークが設けられた記録媒体にレーザ光を照射する照射手段と、
前記記録マークからの再生光を受光し電気信号を再生する再生手段と、
前記再生手段で再生された再生信号とこの再生信号から生成されたクロック信号との位相を比較して位相差信号を出力する位相比較手段と、
前記再生手段で再生された再生信号の波形に基づき、前記位相比較手段の出力の有効期間を制限する制限手段と、
前記クロック信号と前記再生信号とに基づき、二値のデータ信号を発生するデータ信号発生手段と
を具備する再生装置。
【請求項７】
記録マークが設けられた記録媒体にレーザ光を照射し、
前記記録マークからの再生光を受光し電気信号を再生し、
前記再生された再生信号とこの再生信号から生成されたクロック信号との位相を比較して位相差信号を出力し、
前記再生された再生信号の波形に基づき、前記位相差信号の有効期間を制限し、
前記クロック信号と前記再生信号とに基づき、二値のデータ信号を発生する再生方法。
【発明の詳細な説明】
【技術分野】
【０００１】
本発明は、例えば記録媒体からの再生信号を用いてクロック信号を再生するために用いられる位相検出装置、位相検出方法、再生装置及び再生方法に関する。
【背景技術】
【０００２】
従来、光ディスク装置などにおいて記録媒体から信号を再生するとき、一般に光ディスク装置内のＰＬＬ（Ｐｈａｓｅ  Ｌｏｃｋｅｄ  Ｌｏｏｐ）などを用いて、クロックを再生している。その際、ＰＬＬの位相検出器は、例えば再生信号のゼロクロス時点（再生信号がＤＣレベルと交差するタイミング）をチェックし、このゼロクロス時点と参照クロックの位相と比較して、位相エラー信号を作っている（特許文献１参照。）。  
【特許文献１】特開２００２−６４３７９号公報（段落［００１７］、図１）。
【発明の開示】
【発明が解決しようとする課題】
【０００３】
しかしながら、上記特許文献１の技術では、例えばマイクロリフレクター（Ｍｉｃｒｏ−Ｒｅｆｌｅｃｔｏｒ）などの光ディスクを再生すると、光ディスク装置の光学系の伝達特性の影響により、一般的に短いマークおよびスペースから得られる再生信号の振幅は他のマークから得られる再生信号に比べて小さくなってしまう。例えばＢｌｕ−Ｒａｙや現在のマイクロリフレクターで用いられている１７ｐｐ変調の場合、マークおよびスペースの長さは２Ｔから９Ｔまで変化する。しかし、マークおよびスペースの長さを短くしてマイクロリフレクターの記録密度を高めていくと、最も短い２Ｔマークおよび２Ｔスペースから得られる再生信号の振幅は限りなく小さくなってしまう。このような振幅の小さい信号では、ノイズの影響を受けやすくなり位相の検出誤差が大きくなる。
【０００４】
また、１７ｐｐ変調など従来光ディスクで用いられる変調方式では、２Ｔのような短いマークやスペースの出現頻度が高く、ノイズの影響を大きく受けた位相エラー信号が高い頻度でＰＬＬに入力される。このため、ＰＬＬがＬｏｃｋした状態からはずれる可能性がある。
【０００５】
ＰＬＬを構成するループフィルタ（Ｌｏｏｐ  Ｆｉｌｔｅｒ）のカットオフ周波数を下げることにより、位相ノイズの影響を小さくすることができるが、ＰＬＬの応答特性が悪化し、収束時間などの特性も悪くなってしまう。
【０００６】
以上のような事情に鑑み、本発明の目的は、記録媒体から再生される再生信号とクロック信号との位相差を正確に検出することが可能な位相検出装置、位相検出方法、該位相検出装置を備えた再生装置、再生方法を提供することにある。
【課題を解決するための手段】
【０００７】
上記課題を解決するために、本発明に係る位相検出装置は、記録マークが設けられた記録媒体にレーザ光を照射する照射手段と、前記記録マークからの再生光を受光し電気信号を再生する再生手段と、前記再生手段で再生された再生信号とこの再生信号から生成されたクロック信号との位相を比較して位相差信号を出力する位相比較手段と、前記再生手段で再生された再生信号の波形に基づき、前記位相比較手段の出力の有効期間を制限する制限手段とを具備する。
【０００８】
本発明では、照射手段により記録マークが設けられた記録媒体にレーザ光を照射し、再生手段により、記録マークからの再生光を受光し電気信号を再生し、位相比較手段により、再生手段で再生された再生信号とこの再生信号から生成されたクロック信号との位相を比較して位相差信号を出力することができる。このとき、制限手段により、再生手段で再生された再生信号の波形に基づき、位相比較手段の出力の有効期間を制限することができる。制限手段により、例えばノイズの影響を受けた再生信号の波形に基づき選択的に位相比較手段の出力を無効にすることができる。これにより、例えばノイズの影響を受けていない再生信号とクロック信号との位相差を正確に検出することができる。
【０００９】
前記制限手段は、前記クロック信号のクロック数をカウントするカウンタと、前記再生信号のレベルがゼロとなるタイミングを検出すると共に、前記クロック数をリセットするゼロクロス検出手段と、前記カウンタによるカウント値と所定の値とを比較する比較手段と、前記ゼロクロス検出手段により前記タイミングが検出されたとき、前記比較手段による比較の結果、カウント値が所定の値より小さいことが判定されたときから次の前記クロック信号の立ち上がりまでの間、前記位相比較手段の出力を無効にする切り替え手段とを有するようにしてもよい。
【００１０】
これにより、ゼロクロス検出手段により再生信号のレベルがゼロとなるタイミングが検出されたとき、比較手段による比較の結果、カウント値が所定の値より小さいことが判定されたときから次のクロック信号の立ち上がりまでの間、位相比較手段の出力を無効にすることができる。
【００１１】
前記制限手段は、前記再生信号のレベルがゼロとなるタイミングを検出するゼロクロス検出手段と、前記再生信号のレベルが所定レベル未満であるかを判定する判定手段と、前記ゼロクロス検出手段により前記再生信号のレベルがゼロとなる第１のタイミングから次に前記再生信号のレベルがゼロとなる第２のタイミングまでの間、前記再生信号のレベルが所定レベル未満であったときに、前記第２のタイミングから次の前記クロック信号の立ち上がりまでの間、前記位相比較手段の出力を無効にする切り替え手段とを有するようにしてもよい。
【００１２】
これにより、ゼロクロス検出手段により再生信号のレベルがゼロとなる第１のタイミングから次に再生信号のレベルがゼロとなる第２のタイミングまでの間、再生信号のレベルが所定レベル未満であったときに、第２のタイミングから次のクロック信号の立ち上がりまでの間、位相比較手段の出力を無効にすることができる。
【００１３】
前記制限手段は、前記再生信号のレベルがゼロとなるタイミングを検出するゼロクロス検出手段と、前記再生信号のレベルがゼロとなる第１のタイミングでの前記再生信号のレベルの変化率が所定の値未満であるかを判定する判定手段と、前記ゼロクロス検出手段により前記再生信号のレベルがゼロとなる第１のタイミングでの前記再生信号のレベルの変化率が所定の値未満であったときから次の前記クロック信号の立ち上がりまでの間、前記位相比較手段の出力を無効にする切り替え手段とを有するようにしてもよい。
【００１４】
これにより、ゼロクロス検出手段により再生信号のレベルがゼロとなる第１のタイミングでの再生信号のレベルの変化率が所定の値未満であったときから次のクロック信号の立ち上がりまでの間、位相比較手段の出力を無効にすることができる。
【００１５】
本発明に係る位相検出方法は、記録マークが設けられた記録媒体にレーザ光を照射し、前記記録マークからの再生光を受光し電気信号を再生し、前記再生された再生信号とこの再生信号から生成されたクロック信号との位相を比較して位相差信号を出力し、前記再生された再生信号の波形に基づき、前記位相差信号の有効期間を制限する。
【００１６】
本発明では、記録マークが設けられた記録媒体にレーザ光を照射し、記録マークからの再生光を受光し電気信号を再生し、再生された再生信号とこの再生信号から生成されたクロック信号との位相を比較して位相差信号を出力することができる。このとき、再生された再生信号の波形に基づき、位相差信号の有効期間を制限することができる。例えばノイズの影響を受けた再生信号の波形に基づき選択的に位相差信号を無効にすることができる。これにより、例えばノイズの影響を受けていない再生信号とクロック信号との位相差を正確に検出することができる。
【００１７】
本発明に係る再生装置は、記録マークが設けられた記録媒体にレーザ光を照射する照射手段と、前記記録マークからの再生光を受光し電気信号を再生する再生手段と、前記再生手段で再生された再生信号とこの再生信号から生成されたクロック信号との位相を比較して位相差信号を出力する位相比較手段と、前記再生手段で再生された再生信号の波形に基づき、前記位相比較手段の出力の有効期間を制限する制限手段と、前記クロック信号と前記再生信号とに基づき、二値のデータ信号を発生するデータ信号発生手段とを具備する。
【００１８】
本発明では、照射手段により記録マークが設けられた記録媒体にレーザ光を照射し、再生手段により、記録マークからの再生光を受光し電気信号を再生し、位相比較手段により、再生手段で再生された再生信号とこの再生信号から生成されたクロック信号との位相を比較して位相差信号を出力することができる。このとき、制限手段により、再生手段で再生された再生信号の波形に基づき、位相比較手段の出力の有効期間を制限することができる。制限手段により、例えばノイズの影響を受けた再生信号の波形に基づき選択的に位相比較手段の出力を無効にすることができる。これにより、例えばノイズの影響を受けていない再生信号とクロック信号との位相差を正確に検出することができる。この結果、データ信号発生手段により、クロック信号と再生信号とに基づき、正確な二値のデータ信号を発生することができる。
【００１９】
本発明に係る再生方法は、記録マークが設けられた記録媒体にレーザ光を照射し、前記記録マークからの再生光を受光し電気信号を再生し、前記再生された再生信号とこの再生信号から生成されたクロック信号との位相を比較して位相差信号を出力し、前記再生された再生信号の波形に基づき、前記位相差信号の有効期間を制限し、前記クロック信号と前記再生信号とに基づき、二値のデータ信号を発生する。
【００２０】
本発明では、記録マークが設けられた記録媒体にレーザ光を照射し、記録マークからの再生光を受光し電気信号を再生し、再生された再生信号とこの再生信号から生成されたクロック信号との位相を比較して位相差信号を出力することができる。このとき、再生された再生信号の波形に基づき、位相差信号の有効期間を制限することができる。例えばノイズの影響を受けた再生信号の波形に基づき選択的に位相差信号を無効にすることができる。これにより、例えばノイズの影響を受けていない再生信号とクロック信号との位相差を正確に検出することができる。この結果、クロック信号と再生信号とに基づき、正確な二値のデータ信号を発生することができる。
【発明の効果】
【００２１】
以上のように、本発明によれば、記録媒体から再生される再生信号とクロック信号との位相差を正確に検出することができる。
【発明を実施するための最良の形態】
【００２２】
以下、本発明の実施の形態を図面に基づき説明する。  
（第１の実施の形態）  
図１は本発明の一実施形態に係る再生装置１のブロック図である。
【００２３】
再生装置１は、同図に示すように、制御部２、駆動制御部３、信号処理部４、スピンドルモータ５、スレッドモータ６及び光ピックアップ７を備えている。
【００２４】
制御部２は、光ディスク１０が装填された状態で、図示しない外部機器から再生命令及び再生アドレス情報を受け取り、駆動制御部３に対して駆動命令を供給すると共に、再生命令を信号処理部４に供給する。また、制御部２は、信号処理部４からの再生情報を受け取り図示しない外部機器へ送出する。
【００２５】
駆動制御部３は、駆動命令に従い、スピンドルモータ５を駆動制御することにより光ディスク１０を所定の回転速度で回転させる。駆動制御部３は、駆動命令に従い、スレッドモータ６を駆動制御する。これにより、光ピックアップ７を移動軸８に沿って再生アドレス情報に対応した位置に移動させる。
【００２６】
信号処理部４は、光ピックアップ７が光ディスク１０から読み取った信号に対して復調処理等を施すことにより再生信号を生成し、この再生信号を制御部２に供給する。
【００２７】
光ピックアップ７は、例えば光ディスク１０に対して一面側から焦点を合わせて光を照射するために、移動軸８に設けられている。
【００２８】
図２は再生装置１の光ピックアップ７の構成を示すブロック図である。  
同図に示すように、再生装置１の光ピックアップ７は、情報光学系１１と、サーボ光学系１２と、例えば情報光学系１１からのＲＦ信号の処理を実行する信号処理部１３とを備えている。
【００２９】
情報光学系１１は、レーザダイオード１５、集光レンズ１６、偏光板１７、ビームスプリッタ１８、偏光板１９、リレーレンズ２０、ダイクロイックプリズム２１、対物レンズ２２、対物レンズアクチュエータ２３、集光レンズ２４及びフォトディテクタ２５を備えている。
【００３０】
レーザダイオード１５は、図２に示すように、例えば波長約４０５ｎｍの発散光である所定光量の青色レーザ光Ｌｂを集光レンズ１６に向けて照射する。
【００３１】
集光レンズ１６は、青色レーザ光Ｌｂを発散光から平行光に変換し、平行光を偏光板１７に入射させる。
【００３２】
偏光板１７は、集光レンズ１６から入射した青色レーザ光Ｌｂの特定の偏向成分を透過する。
【００３３】
ビームスプリッタ１８は、偏光板１７を透過した青色レーザ光Ｌｂを偏光板１９に入射させる。
【００３４】
偏光板１９は、ビームスプリッタ１８からの青色レーザ光Ｌｂをリレーレンズ２０に入射させる。
【００３５】
リレーレンズ２０は、偏光板１９からの青色レーザ光Ｌｂの光路を調整し、ダイクロイックプリズム２１に入射させる。リレーレンズ２０は、集光レンズ２０ａ、集光レンズアクチュエータ２０ｂ及びレンズ２０ｃを備えている。集光レンズアクチュエータ２０ｂにより集光レンズ２０ａの位置を調整される。
【００３６】
ダイクロイックプリズム２１は、入射した青色レーザ光Ｌｂを対物レンズ２２に向けて反射する。
【００３７】
対物レンズ２２は、ダイクロイックプリズム２１で反射した青色レーザ光Ｌｂを集光し、光ディスク１０の後述する記録層に入射させる。
【００３８】
光ディスク１０の記録層の後述する記録マークで生成された戻り光は、対物レンズ２２、ダイクロイックプリズム２１、リレーレンズ２０等を通過しビームスプリッタ１８に入射する。
【００３９】
ビームスプリッタ１８は、この青色レーザ光Ｌｂを反射面において集光レンズ２４に向けて反射し、集光レンズ２４に入射させる。
【００４０】
集光レンズ２４は、入射した青色レーザ光Ｌｂを集光し、フォトディテクタ２５に照射する。
【００４１】
フォトディテクタ２５は、集光レンズ２４で集光された青色レーザ光Ｌｂを受光し電気信号に変換し、例えば信号処理部１３にこの電気信号を出力する。
【００４２】
サーボ光学系１２は、レーザダイオード３１、コリメータレンズ３２、ビームスプリッタ３３、ダイクロイックプリズム２１、対物レンズ２２、対物レンズアクチュエータ２３、集光レンズ３４及びフォトディテクタ３５を備えている。なお、例えばダイクロイックプリズム２１、対物レンズ２２及び対物レンズアクチュエータ２３は、情報光学系１１及びサーボ光学系１２で共用されている。
【００４３】
レーザダイオード３１は、図２に示すように、波長約６６０ｎｍの発散光である所定光量の赤色レーザ光Ｌｒをコリメータレンズ３２に向けて照射する。
【００４４】
コリメータレンズ３２は、赤色レーザ光Ｌｒを発散光から平行光に変換し、ビームスプリッタ３３に入射させる。
【００４５】
ビームスプリッタ３３は、入射した赤色レーザ光Ｌｒをダイクロイックプリズム２１に入射させる。ダイクロイックプリズム２１に入射した赤色レーザ光Ｌｒは、ダイクロイックプリズム２１を通過し対物レンズ２２に入射する。
【００４６】
そして、対物レンズ２２は、赤色レーザ光Ｌｒを集光し、光ディスク１０に向けて照射する。このとき、赤色レーザ光Ｌｒは、光ディスク１０の基準面（層）Ｒに照射される。この後、基準面（層）Ｒで反射された赤色レーザ光Ｌｒは、対物レンズ２２を通過した後、ダイクロイックプリズム２１を通過し、ビームスプリッタ３３の反射面で反射され、集光レンズ３４に入射する。
【００４７】
集光レンズ３４は、入射した赤色レーザ光Ｌｒに非点収差を持たせた上でフォトディテクタ３５に集光する。
【００４８】
フォトディテクタ３５は、入射した赤色レーザ光Ｌｒを電気信号に変換し出力する。
【００４９】
再生装置１では、例えば赤色レーザ光Ｌｒや青色レーザ光Ｌｂの焦点が光ディスク１０に対して接近又は離れる方向であるフォーカス方向にずれることがある。赤色レーザ光Ｌｒや青色レーザ光Ｌｂを目標のフォーカス位置に追従させるためには、焦点をフォーカス方向に移動させる必要がある。そこで、例えば対物レンズ２２は、対物レンズアクチュエータ２３によりフォーカス方向に駆動されるようになっている。また、集光レンズ２０ａは、集光レンズアクチュエータ２０ｂによりフォーカス方向に駆動されるようになっている。
【００５０】
図３は、信号処理部１３の構成を示すブロック図、図４は信号処理部１３の位相検出を説明するための図である。  
信号処理部１３は、位相同期回路（ＰＬＬ  Ｐｈａｓｅ  Ｒｏｃｋｅｄ  Ｌｏｏｐ）３９及びクロック（データ）再生部４０を備えている。
【００５１】
位相同期回路３９は、フォトディテクタ２５側から入力された入力信号である図４（Ａ）に示すＲＦ信号に基づき、図４（Ｃ）に示すクロック信号をクロック（データ）再生部４０に出力する。
【００５２】
クロック（データ）再生部４０は、位相同期回路３９からの図４（Ｃ）に示すクロック信号に基づき、図４（Ａ）に示す青色レーザ光ＬｂのＲＦ（データ）信号の二値データ化を行い出力する。
【００５３】
図４（Ａ）は、フォトディテクタ２５側から位相同期回路３９に入力された信号の波形である。図４（Ｃ）は、位相同期回路３９から出力されるクロック信号の波形である。
【００５４】
位相同期回路３９は、図３に示すように、点線で示すリミット位相ディテクタ４１、フリップフロップ４２、ループフィルタ４３及びデジタルＶＣＯ（Ｖｏｌｔａｇｅ  Ｃｏｎｔｒｏｌｅｄ  Ｏｓｃｌａｔｏｒ）４４を備える。
【００５５】
リミット位相ディテクタ４１は、例えばゼロクロス検出部４６、クロックカウンタ４７、比較部４８、ＡＮＤ回路４９、フリップフロップ５０及び位相カウンタ５１を備えている。
【００５６】
ゼロクロス検出部４６は、フォトディテクタ２５側から入力された図４（Ａ）に示すＲＦ信号のレベルがゼロクロスであるか否かを検出し、ゼロクロスのときに、クロックカウンタ４７にクロックカウンタ４７のカウント値をクリアするためのクリア信号を出力する。ゼロクロス検出部４６は、ＲＦ信号のレベルがゼロクロスであるか否かを検出し、ゼロクロスであるときに１を、ゼロクロスでないときに０を、ＡＮＤ回路４９に出力する。
【００５７】
クロックカウンタ４７は、デジタルＶＣＯ４４から出力された図４（Ｃ）に示すクロック信号のクロック数をカウントし、比較部４８にクロック数（カウント値）を出力する。
【００５８】
比較部４８は、クロックカウンタ４７からのクロック数（カウント値）と、所定の値（例えば２）とを比較し、クロック数（カウント値）が所定の値以上であるときには１をＡＮＤ回路４９に出力し、所定の値より小さいときには０をＡＮＤ回路４９に出力する。
【００５９】
ＡＮＤ回路４９は、比較部４８の出力信号と、ゼロクロス検出部４６の出力信号とが入力され、入力結果に応じてフリップフロップ５０に信号を出力する。
【００６０】
フリップフロップ５０は、ＡＮＤ回路４９の出力信号と、デジタルＶＣＯ４４の出力信号と、システムクロックが入力される。フリップフロップ５０は、入力結果に応じて位相カウンタ５１をイネブルにする信号を位相カウンタ５１に出力したり、位相カウンタ５１のカウントをクリアする信号を位相カウンタ５１に出力したりする。
【００６１】
位相カウンタ５１は、図４（Ｅ）に示す位相エラー信号をフリップフロップ４２に出力する。
【００６２】
フリップフロップ４２は、位相カウンタ５１からの位相エラー信号と、デジタルＶＣＯ４４からの図４（Ｃ）に示すクロック信号とが入力されており、このクロック信号の立ち上がりエッジのタイミングで位相エラー信号をサンプリングしてループフィルタ４３に出力し、次の立ち上がりエッジのタイミングまでその信号を維持する。すなわちフリップフロップ４２は、位相カウンタ５１がリセットされる直前の位相エラー信号すなわち位相差の検出結果を、クロック信号の１周期の期間だけ維持し、これをループフィルタ４３へ出力する。
【００６３】
ループフィルタ４３は、位相差信号の高周波成分を除去し位相エラー信号に応じた制御電圧をデジタルＶＣＯ４４に出力する。
【００６４】
デジタルＶＣＯ４４は、入力された制御電圧に応じて図４（Ｃ）に示すクロック信号を、クロックカウンタ４７、フリップフロップ５０、フリップフロップ４２、及びクロック（データ）再生部４０に発振する。
【００６５】
次に再生装置１の再生動作について説明する。  
再生装置１の図示しない制御部は、同図に示すように、レーザダイオード３１に赤色レーザ光Ｌｒを射出させ、レーザダイオード１５に青色レーザ光Ｌｂを射出させる。
【００６６】
これにより、図２に示すように、レーザダイオード３１から射出した赤色レーザ光Ｌｒは、コリメータレンズ３２により平行光に変換され、ビームスプリッタ３３、ダイクロイックプリズム２１を通過し、対物レンズ２２で集光されて、例えば基準面（層）Ｒに照射される。基準面（層）Ｒで反射した赤色レーザ光Ｌｒは、対物レンズ２２、ダイクロイックプリズム２１を通過し、ビームスプリッタ３３で反射し、集光レンズ３４で集光され、フォトディテクタ３５に入射する。フォトディテクタ３５に入射した赤色レーザ光Ｌｒは、フォトディテクタ３５により、電気信号に変換される。
【００６７】
一方、レーザダイオード１５から射出された青色レーザ光Ｌｂは、集光レンズ１６により平行光に変換され、青色レーザ光Ｌｂのうち特定の偏光成分が偏光板１７を通過し、ビームスプリッタ１８に入射する。ビームスプリッタ１８に入射した青色レーザ光Ｌｂは、ビームスプリッタ１８、リレーレンズ２０等を通過し、ダイクロイックプリズム２１で反射し、対物レンズ２２で集光されて、例えば光ディスク１０の記録層の記録マークに照射される。記録マークで反射した青色レーザ光Ｌｂは、対物レンズ２２を通過しダイクロイックプリズム２１で反射し、リレーレンズ２０等を通過し、偏光板１９で偏光され、ビームスプリッタ１８で集光レンズ２４に向けて反射する。集光レンズ２４に入射した青色レーザ光Ｌｂは、集光レンズ２４で集光され、フォトディテクタ２５に入射する。フォトディテクタ２５に入射した青色レーザ光Ｌｂは、電気信号に変換され、信号処理部１３に出力される。
【００６８】
図５は再生装置１の位相同期回路３９の動作を示すフローチャートである。  
再生装置１の図示しない制御部は、再生信号のインデックスを０とする（ＳＴ５０１）。
【００６９】
制御部は、入力信号の末尾であるか否かを判断し（ＳＴ５０２）、末尾であるときには、処理を終了し、末尾でないときには、リミット位相ディテクタ４１を呼び出す（ＳＴ５０３）。
【００７０】
図６はリミット位相ディテクタ４１の動作を示すフローチャートである。  
以下、初期状態として位相カウンタ５１がイネブルにセットされておらず（ＳＴ６０１でＮＯ）、クロックカウンタ４７のカウント数が初期値０であり、位相カウンタ５１のカウント数が初期値０であり、図４（Ａ）に示すＲＦ信号（入力信号）のレベルがゼロクロスでない場合（図４（Ａ）の時刻Ａ）以降について説明する。
【００７１】
図３に示すリミット位相ディテクタ４１は、位相カウンタ５１がイネブルにセットされているか否かを判断し（ＳＴ６０１）、イネブルにセットされているときには（ＳＴ６０１でＹＥＳ）ＳＴ６０２に進み、イネブルにセットされていないときには（ＳＴ６０１でＮＯ）ＳＴ６０５に進む。
【００７２】
ＳＴ６０１でＮＯのときには、図３に示すゼロクロス検出部４６は、図４（Ａ）に示すＲＦ信号（入力信号）と、予め定められたＤＣレベルとに基づき、ＲＦ信号の出力レベルが０であるか（ＲＦ信号がゼロクロスであるか）否かを判断する（ＳＴ６０５）。ゼロクロス検出部４６は、ＲＦ信号（入力信号）のレベルがゼロクロスであるときにはクロックカウンタ４７及びＡＮＤ回路４９に１を出力し、ＲＦ信号（入力信号）のレベルがゼロクロスでないときにはクロックカウンタ４７及びＡＮＤ回路４９に０を出力する。
【００７３】
例えば時刻が図４に示すＡであり、ゼロクロスでないときには（ＳＴ６０５でＮＯ）ＳＴ６０９に進む。
【００７４】
図３に示すクロックカウンタ４７は、図４（Ｃ）に示すクロック信号に基づき、クロックの立ち上がりであるか否かを判断する（ＳＴ６０９）。
【００７５】
クロックの立ち上がりであるときには（ＳＴ６０９でＹＥＳ）、クロックカウンタ４７は、カウント値を１増加させ（ＳＴ６１０）、カウント値を図３に示す比較部４８に出力する。クロックの立ち上がりでないときには（ＳＴ６０９でＮＯ）クロックカウンタ４７のカウント値を増加させずにＳＴ６１１に進む。
【００７６】
リミット位相ディテクタ４１の位相カウンタ５１は、位相カウンタ５１のカウント値を位相エラー信号としてフリップフロップ４２に出力する（戻す）（ＳＴ６１１）。
【００７７】
以降、図５に示す後述するＳＴ５０４〜ＳＴ５０７が実行され、入力信号の末尾に達するまで（ＳＴ５０２でＹＥＳ）処理が繰り返される。
【００７８】
入力信号の末尾でない場合（ＳＴ５０２でＮＯ）には、再び図６に示す処理が実行される。
【００７９】
これにより、図４（Ａ）に示すＲＦ信号（入力信号）の波形に応じて、図４（Ｂ）に示すクロックのカウント値が増加していく。
【００８０】
時刻が図４（Ａ）に示すＢとなったときには、この時点ではまだ位相カウンタ５１はイネブルがセットされていないままなので、再びＳＴ６０１の処理が実行されたときに否定判断されＳＴ６０５に進む。ゼロクロス検出部４６は、例えば時刻ＢでＲＦ信号（入力信号）のレベルがゼロクロスであると判断する（ＳＴ６０５でＹＥＳ）。
【００８１】
図３に示す比較部４８は、クロックカウンタ４７からのクロックのカウント値に基づき、クロックのカウント値が所定の値、例えば２以上であるか否かを判断する（ＳＴ６０６）。比較部４８は、クロックカウンタ４７のカウント値が所定カウント値以上であるときには、記録マークの読取り方向の長さが所定カウント値×Ｔマークより大きく、パルス幅が所定カウント値より小さいときには、記録マークの読取り方向の長さが所定カウント値×Ｔマークより小さいと判断する。比較部４８は、クロックのカウント値が所定値以上であるときには（ＳＴ６０６でＹＥＳ）、ＡＮＤ回路４９に１を出力し、クロックのカウント値が所定値より小さいときには（ＳＴ６０６でＮＯ）、ＡＮＤ回路４９に０を出力する。
【００８２】
つまり、ＲＦ信号（入力信号）のレベルがゼロクロスであり（ＳＴ６０５でＹＥＳ）かつクロックのカウント値が所定値以上である（ＳＴ６０６でＹＥＳ）ときには、ＡＮＤ回路４９はその２つの入力端子に共に１が入力される。このとき、ＡＮＤ回路４９は、フリップフロップ５０のＳ端子に１を出力する。これにより、フリップフロップ５０は位相カウンタ５１をイネブルにセットする（ＳＴ６０７）。
【００８３】
クロックのカウント値が所定値より小さいときには（ＳＴ６０６でＮＯ）、位相カウンタ５１をイネブルにセットせずにＳＴ６０８に進む。
【００８４】
ゼロクロス検出部４６は、ＲＦ信号（入力信号）のレベルがゼロクロスであるときには（ＳＴ６０５でＹＥＳ）、ＳＴ６０６等の処理後、クロックカウンタ４７にカウント値のリセット信号を出力する。これにより、クロックカウンタ４７のカウント値はクリアされる（０となる）（ＳＴ６０８）。ゼロクロス検出部４６は、図４（Ａ）に示すＲＦ信号のレベルがゼロクロスでないときには（ＳＴ６０５でＮＯ）、クロックカウンタ４７のカウント値をクリアせずにＳＴ６０９に進む。
【００８５】
時刻が図４に示すＢのときに上記ＳＴ６０７で位相カウンタ５１がイネブルにセットされた後で、リミット位相ディテクタ４１は、再びＳＴ６０１の処理を実行するときに、位相カウンタ５１がイネブルにセットされたと判断する（ＳＴ６０１でＹＥＳ）。位相カウンタ５１は、システムクロックに基づき位相カウンタ５１の位相カウント値を１増加させる（ＳＴ６０２）。これにより、図４（Ｅ）に示すように位相カウント値が増加する。
【００８６】
フリップフロップ５０は、デジタルＶＣＯ４４からの図４（Ｃ）に示すクロック信号がＲ端子に入力される。フリップフロップ５０は、Ｒ端子に入力されるクロック信号に基づき、図４（Ｃ）に示すＰＬＬのクロックの立ち上がりが否かを判断する（ＳＴ６０３）。フリップフロップ５０は、ＰＬＬのクロックの立ち上がりであると判断したときには（ＳＴ６０３でＹＥＳ）、位相カウンタ５１の位相カウント値を０にするクリア信号を位相カウンタ５１に出力し、位相カウント値をクリアする（位相カウンタ５１のイネブルをクリアする）（ＳＴ６０４）。フリップフロップ５０は、ＰＬＬのクロックの立ち上がりでないと判断したときには（ＳＴ６０３でＮＯ）、位相カウント値をクリアせずにＳＴ６０５に進む。
【００８７】
つまり、図４に示すように、Ｂでゼロクロスが検出されてから図４（Ｃ）に示すクロック信号のクロックの立ち上がりが検出されるまで、図４（Ｅ）に示すように位相カウント値が増加し、立ち上がりが検出されたときに位相カウント値がゼロとなる。
【００８８】
図３に示すリミット位相ディテクタ４１の位相カウンタ５１は、ＳＴ６０２で求めた位相カウント値又はＳＴ６０４でクリアされた位相カウント値をフリップフロップ４２に出力する。
【００８９】
図５に示すように、フリップフロップ４２は、デジタルＶＣＯ４４から入力される図４（Ｃ）に示すクロック信号に基づき、クロック信号の立ち上がりか否かを判断する（ＳＴ５０４）。
【００９０】
フリップフロップ４２は、デジタルＶＣＯ４４からのクロック信号がクロックの立ち上がりであるときには（ＳＴ５０４でＹＥＳ）、位相カウンタ５１から供給される位相カウント値を取り込んで、新たな値をループフィルタ４３に出力する。またデジタルＶＣＯ４４からのクロック信号がクロックの立ち上がりでないときには（ＳＴ５０４でＮＯ）、フリップフロップ４２はその出力値を保持したままＳＴ５０７に進む。
【００９１】
ループフィルタ４３は、位相エラー信号の高周波成分を除去し位相エラー信号に応じた制御電圧をデジタルＶＣＯ４４に出力する（ＳＴ５０５）。
【００９２】
デジタルＶＣＯ４４は、入力された制御電圧に応じて、次のＰＬＬのクロックの立ち上がりを算出する（図４（Ｃ）に示すクロック信号を発振する）（ＳＴ５０６）。
【００９３】
ＲＦ信号のインデックスを１増加させ（ＳＴ５０７）、ＳＴ５０２に戻り、入力信号の末尾でないときは（ＳＴ５０２でＮＯ）ＳＴ５０３〜ＳＴ５０７を繰り返し、入力信号の末尾であるときには（ＳＴ５０２でＹＥＳ）処理を終了する。
【００９４】
クロック（データ）再生部４０は、リミット位相ディテクタ４１からのクロック信号に基づき、図４（Ａ）に示す青色レーザ光ＬｂのＲＦ信号（入力信号）の二値データ化を行い出力する。
【００９５】
このように本実施形態によれば、位相同期回路３９がリミット位相ディテクタ４１を備えるので、例えば図４に示すゼロクロスのタイミング（Ｃ）が検出されたとき（ＳＴ６０５でＹＥＳ）、クロックカウンタ４７によるカウント値と所定の値とを比較し（ＳＴ６０６）、カウント値が所定の値より小さいときに（ＳＴ６０６でＮＯ）Ｃから次のクロックの立ち上がりまでの間、位相カウンタ５１をイネブルでない状態とすることができる。つまり、図４（Ａ）に示すＲＦ信号のパルス幅が所定の幅より小さいときに、リミット位相ディテクタ４１（の位相カウンタ５１）の出力を無効にすることができる。この結果、例えばノイズ等の影響を受け易い所定カウント値より小さいパルス幅のＲＦ信号（入力信号）に基づき位相エラー信号が求められることを防止することができる。従って、ＲＦ信号とクロック信号との位相差である図４（Ｅ）に示す位相エラー信号を正確に検出し、正確なクロック信号をクロック再生部４０に出力することができる。
【００９６】
図１３は、従来の位相エラー検出を説明するための図である。  
従来では、２Ｔマークのような短い記録マークから再生される図１３（Ａ）に示すＲＦ信号と、図１３（Ｂ）に示す位相同期回路で再生されたクロック信号とを用いて、位相同期回路により図１３（Ｃ）に示す位相差（位相エラー）を検出するときに、図１３（Ａ）に示すノイズＮｚのゼロクロスと、図１３（Ｂ）に示すクロックの位相差を位相エラー信号として採用しているので、ノイズＮｚの影響を受け易くなる。
【００９７】
Ｂｌｕ−Ｒａｙや現在のマイクロリフレクターで用いられている１７ｐｐ変調の場合には、光ディスク１０に記録される記録マークの読取り方向の長さは、例えば２Ｔ〜９Ｔとされている。
【００９８】
Ｍｉｃｒｏ-Ｒｅｆｌｅｃｔｏｒなどの光ディスクから再生した再生（ＲＦ）信号においては、光学系の伝達特性の影響により、短い記録マークからの再生（ＲＦ）信号のパルス幅が小さい。このため、再生（ＲＦ）信号に位相同期回路により位相同期をかけるとき、再生（ＲＦ）信号中の短い記録マークに対応する部分では位相検出でエラーが発生し易い。
【００９９】
その対策として、本実施形態では、短い記録マーク（例えば２Ｔマーク）に対応する再生（ＲＦ）信号を、リミット位相ディテクタ４１で位相検出するとき無視している。例えば、リミット位相ディテクタ４１により、短い記録マークに対応する再生（ＲＦ）信号と、クロック信号との位相差を用いずに正確な位相差を検出し、正確なクロック信号を発振し、クロック（データ）再生部４０により、データ信号の正確な２値データ化を行うことができる。
【０１００】
（第２の実施の形態）  
次に、第２の実施の形態の記録装置について説明する。なお、本実施形態以降においては、上記第１の実施の形態と同一の構成部材等には同一の符号を付しその説明を省略し異なる箇所を中心的に説明する。
【０１０１】
図７は、本発明に係る第２の実施形態の再生装置の信号処理部の構成を示すブロック図、図８は信号処理部の位相検出を説明するための図である。  
図７に示すように、本実施形態の再生装置は、図３に示す信号処理部１３の代わりにＲＦ信号の出力レベルに基づきＲＦ信号の処理を実行する信号処理部６０を備えている点が異なる。
【０１０２】
信号処理部６０は、図３に示す信号処理部１３に比べて、図３に示すゼロクロス検出部４６、クロックカウンタ４７及び比較部４８を備える代わりに、図７に示すレベル検出部６２、ゼロクロス検出部６３及びフリップフロップ６４を備えている点が異なる。
【０１０３】
図７に示すレベル検出部６２は、図８（Ａ）に示すＲＦ信号（入力信号）の出力レベルと、予め定められた閾値との絶対値を比較し、ＲＦ信号の出力レベルの絶対値が閾値の絶対値以上であるか否かを判断する。これにより、レベル検出部６２は、図８（Ｂ）に示すレベルチェック信号をフリップフロップ６４に出力する。つまり、レベル検出部６２は、ＲＦ信号の出力レベルの絶対値が閾値の絶対値以上であるときに、フリップフロップ６４のＳ端子にレベルチェック信号である１を出力する。レベル検出部６２は、ＲＦ信号の出力レベルの絶対値が閾値の絶対値未満であるときに、フリップフロップ６４にＳ端子にレベルチェック信号である０を出力する。
【０１０４】
図７に示すゼロクロス検出部６３は、フォトディテクタ２５側から入力された図８（Ａ）に示すＲＦ信号のレベルがゼロクロスであるか否かを検出し、ゼロクロスのときに、フリップフロップ６４のＲ端子に１を出力すると共に、ＡＮＤ回路４９の入力端子に１を出力する。ゼロクロス検出部６３は、検出結果がゼロクロスでないときには、フリップフロップ６４のＲ端子に０を出力すると共に、ＡＮＤ回路４９の入力端子に０を出力する。
【０１０５】
図７に示すフリップフロップ６４は、レベル検出部６２からのレベルチェック信号と、ゼロクロス検出部６３からのゼロクロスチェックの信号とに基づき、図８（Ｃ）に示すレベルロック信号をフリップフロップ６４のＳ端子に出力する。
【０１０６】
ＡＮＤ回路４９は、フリップフロップ６４からのレベルロック信号と、ゼロクロス検出部６３からの信号とに基づき、フリップフロップ５０に信号を出力する。
【０１０７】
次に第２の実施の形態の再生装置の再生動作について説明する。なお、本実施形態では、図５に示すリミット位相ディテクタの処理（ＳＴ５０３）において、図３に示すリミット位相ディテクタ４１が図６に示す処理を実行する代わりに、図７に示すリミット位相ディテクタ６１が図９に示す処理を実行する点が異なる。
【０１０８】
以下、初期状態として位相カウンタ５１がイネルブでない状態にセットされ、位相カウンタ５１のカウント数が初期値０であり、図８（Ａ）に示すＲＦ信号（入力信号）のレベルがゼロクロスでない場合（図８（Ａ）の時刻Ａ）以降について説明する。この場合には、リミット位相ディテクタ６１は、ＳＴ９０８に進み処理を実行する。
【０１０９】
レベル検出部６２は、図８（Ａ）に示すＲＦ信号（入力信号）のレベルを検出し、検出したレベルが予め定められた閾値以上であるか否かを判断する（ＳＴ９０８）。
【０１１０】
レベルが閾値以上でないときには（ＳＴ９０８でＮＯ）、レベル検出部６２は、フリップフロップ６４のＳ端子に０を出力する。時刻が図８に示すＢとなったときには、レベル検出部６２は、ＲＦ信号のレベルが閾値以上であると判断し（ＳＴ９０８でＹＥＳ）、フリップフロップ６４のＳ端子にレベルチェック信号である１を出力する（ＳＴ９０９）。つまり、レベル検出部６２での判断結果が、ＲＦ信号のレベルが所定レベル値以上であるときに、ＲＦ信号のパルス幅が所定値以上である、つまり、記録マークの読取り方向の長さが所定値以上であると判断する。
【０１１１】
次いで、ＳＴ９１０で上記実施形態と同様に、位相カウンタ５１は、位相カウンタの値をフリップフロップ４２に出力する。その後、図７に示す位相同期回路により、図５に示すＳＴ５０４〜ＳＴ５０７が実行され、入力信号の末尾でない場合には（ＳＴ５０２でＮＯ）、再びＳＴ５０３（図９に示す処理）が実行される。
【０１１２】
再びＳＴ９０１の処理が実行されるときには、位相カウンタ５１がイネブルでないので（ＳＴ９０１でＮＯ）、ＳＴ９０５に進む。
【０１１３】
ゼロクロス検出部６３は、図８（Ａ）に示すＲＦ信号のレベルがゼロクロスであるか否かを判断する（ＳＴ９０５）。
【０１１４】
時刻が図８に示すＣとなったときには、ゼロクロス検出部６３は、レベルがゼロクロスであると判断し、ＡＮＤ回路４９に１を出力する。これにより、ＡＮＤ回路４９は、二つの入力端子に共に１が入力された状態となり（ＳＴ９０５でＹＥＳ）、フリップフロップ５０のＳ端子に１を出力する。フリップフロップ５０は、位相カウンタ５１をイネブルにセットする（ＳＴ９０６）。
【０１１５】
また、時刻がＣとなったときには、ゼロクロス検出部６３は、フリップフロップ６４のＲ端子に１を出力する。これにより、図８（Ｃ）に示すようにＣでレベルロック信号を０とする（ＳＴ９０７）。
【０１１６】
時刻がＣとなったときにＳＴ９０６において位相カウンタ５１がイネブルにセットされ（ＳＴ９０５でＹＥＳ）、その後、再びＳＴ９０１の処理が実行されるときには、位相カウンタ５１がイネブルにセットされているので、ＳＴ９０２に進む。
【０１１７】
位相カウンタ５１は、システムクロックに基づき位相カウンタ５１の位相カウント値を１増加させる（ＳＴ９０２）。これにより、図８（Ｆ）に示すように位相カウント値が増加する。
【０１１８】
フリップフロップ５０は、デジタルＶＣＯ４４からの図８（Ｄ）に示すクロック信号がＲ端子に入力される。フリップフロップ５０は、Ｒ端子に入力されるクロック信号に基づき、図８（Ｄ）に示すＰＬＬのクロックの立ち上がりが否かを判断する（ＳＴ９０３）。フリップフロップ５０は、ＰＬＬのクロックの立ち上がりであると判断したときには（ＳＴ９０３でＹＥＳ）、位相カウンタ５１の位相カウント値を０にするクリア信号を位相カウンタ５１に出力し、位相カウント値をクリアする（位相カウンタ５１のイネブルをクリアする）（ＳＴ９０４）。フリップフロップ５０は、ＰＬＬのクロックの立ち上がりでないと判断したときには（ＳＴ９０３でＮＯ）、位相カウント値をクリアせずにＳＴ９０５に進む。
【０１１９】
つまり、図８に示すように、Ｃでゼロクロスが検出されてから図８（Ｄ）に示すクロック信号のクロックの立ち上がりが検出されるまで、図８（Ｆ）に示すように位相カウント値が増加し、立ち上がりが検出されたときに位相カウント値がゼロとなる。
【０１２０】
図７に示すリミット位相ディテクタ６１の位相カウンタ５１は、ＳＴ９０２で求めた位相カウント値又はＳＴ９０４でクリアされた位相カウント値をフリップフロップ４２に出力する。以降、ＳＴ５０４〜ＳＴ５０７などについては、上記実施形態と同様である。
【０１２１】
このように本実施形態によれば、リミット位相ディテクタ６１は、レベル検出部６２を備えるので、ＲＦ信号のレベルが図８に示す時刻がＤからＥの間に所定レベル値以上となったか否かを判断することができる。リミット位相ディテクタ６１は、ゼロクロス検出部６３を備えるので、ＲＦ信号のレベルが所定レベル値以上とならずにゼロクロスとなったときに、位相カウンタ５１をイネブルでない状態のままとすることができる。この結果、例えばノイズ等の影響を受け易いレベルが所定レベル値より小さいＲＦ信号（入力信号）に基づき位相エラー信号が求められることを防止することができる。従って、ＲＦ信号とクロック信号との位相差である図８（Ｆ）に示す位相エラー信号を正確に検出し、正確なクロック信号をクロック再生部４０に出力することができる。
【０１２２】
（第３の実施の形態）  
次に、第３の実施の形態の記録装置について説明する。  
図１０は、本発明に係る第３の実施形態の再生装置の信号処理部の構成を示すブロック図、図１１は信号処理部の位相検出を説明するための図である。  
図１０に示すように、本実施形態の再生装置は、図３に示す信号処理部１３の代わりにＲＦ信号のレベルの変化率（差分）に基づきＲＦ信号の処理を実行する信号処理部７０を備えている点が異なる。
【０１２３】
信号処理部７０は、図３に示す信号処理部１３に比べて、図３に示すゼロクロス検出部４６、クロックカウンタ４７及び比較部４８を備える代わりに、図１０に示す差分演算部７２、ゼロクロス検出部７３及び比較部７４を備えている点が異なる。
【０１２４】
差分演算部７２は、図１１に示すＲＦ信号（入力信号）のレベルを所定時間毎に検出しその差分を演算し、比較部７４に差分を出力する。
【０１２５】
ゼロクロス検出部７３は、図１１に示すＲＦ信号のレベルに基づき、レベルがゼロクロスであるか否かを判断し、ＡＮＤ回路４９に判断結果に応じた信号を出力する。ゼロクロス検出部７３は、例えばゼロクロスが検出されたときには１を出力し、ゼロクロスが検出されなかったときには０を出力する。
【０１２６】
比較部７４は、差分演算部７２からの差分と、予め定められた所定の設定値（閾値）とを比較し、比較結果に応じた信号をＡＮＤ回路４９に出力する。比較部７４は、例えば入力された差分が設定値より大きいときに１を出力し、入力された差分が設定値以下のときには０を出力する。
【０１２７】
以下、初期状態として位相カウンタ５１がイネブルでない状態にセットされ、位相カウンタ５１のカウント数が初期値０であり、図１１（Ａ）に示すＲＦ信号（入力信号）のレベルがゼロクロスである場合（図１１（Ａ）の時刻Ａ）以降について説明する。この場合には、リミット位相ディテクタ７１は、ＳＴ１２０５に進み処理を実行する。
【０１２８】
ゼロクロス検出部７３は、図１１（Ａ）に示すＲＦ信号のレベルがゼロクロスであるか否かを判断し（ＳＴ１２０５）、ゼロクロスであるときにはＡＮＤ回路４９に１を出力し、ゼロクロスでないときにはＡＮＤ回路４９に０を出力する。
【０１２９】
差分演算部７２は、図１１（Ａ）に示すＲＦ信号のレベルを所定時間毎に検出し、検出されたレベルの差分を演算し、差分を比較部７４に出力する。
【０１３０】
比較部７４は、差分の値と、予め定められた設定値とを比較し、差分の値が設定値より大きいときには（ＳＴ１２０５でＹＥＳ）、ＡＮＤ回路４９に１を出力し、差分の値が設定値以下のときには（ＳＴ１２０５でＮＯ）、ＡＮＤ回路４９に０を出力する。
【０１３１】
つまり、ＲＦ信号がゼロクロスでありかつ差分の値が設定値より大きいときに、ＡＮＤ回路４９は、フリップフロップ５０のＳ端子に１を出力する。この結果、フリップフロップ５０は、位相カウンタ５１をイネブルにセットする（ＳＴ１２０６）。
【０１３２】
図１１に示すＡでＳＴ１２０６において位相カウンタ５１がイネブルにセットされた後に再びＳＴ１２０１の処理が実行されたときには、ＳＴ１２０２に進み、位相カウンタ５１は、システムクロックに基づき位相カウンタ５１の位相カウント値を１増加させる（ＳＴ１２０２）。これにより、図１１（Ｄ）に示す位相エラーの位相カウント値が増加する。
【０１３３】
フリップフロップ５０は、デジタルＶＣＯ４４からの図１１（Ａ）に示すクロック信号がＲ端子に入力される。フリップフロップ５０は、Ｒ端子に入力されるクロック信号に基づき、図１１（Ｂ）に示すＰＬＬのクロックの立ち上がりが否かを判断する（ＳＴ１２０３）。フリップフロップ５０は、ＰＬＬのクロックの立ち上がりであると判断したときには（ＳＴ１２０３でＹＥＳ）、位相カウンタ５１の位相カウント値を０にするクリア信号を位相カウンタ５１に出力し、位相カウント値をクリアする（位相カウンタ５１のイネブルをクリアする）（ＳＴ１２０４）。フリップフロップ５０は、ＰＬＬのクロックの立ち上がりでないと判断したときには（ＳＴ１２０３でＮＯ）、位相カウントのイネブルをクリアせずにＳＴ１２０５に進む。
【０１３４】
図１０に示すリミット位相ディテクタ７１の位相カウンタ５１は、ＳＴ１２０２で求めた位相カウント値又はＳＴ１２０４でクリアされた位相カウント値をフリップフロップ４２に出力する。以降、ＳＴ５０４〜ＳＴ５０７などについては、上記実施形態と同様である。
【０１３５】
このように本実施形態によれば、リミット位相ディテクタ７１は、差分演算部７２、比較部７４及びゼロクロス検出部７３を備えるので、ＲＦ信号のゼロクロスでの差分（変化率）が所定の設定値より大きくなったか否かを判断することができる。つまり、差分演算部７２で得られた差分の値が、所定の設定値より大きいときに、ＲＦ信号のパルス幅が所定値以上である、つまり、記録マークの読取り方向の長さが所定値以上であると判断する。リミット位相ディテクタ６１は、図１１のＢでは、ＲＦ信号のゼロクロスでの差分（変化率）が所定設定値より大きくないので、位相カウンタ５１をイネブルにすることができない。この結果、例えばノイズ等の影響を受け易いゼロクロスでの差分の値が所定の設定値以下であるＲＦ信号（入力信号）に基づき位相エラー信号が求められることを防止することができる。従って、ＲＦ信号とクロック信号との位相差である図１１（Ｄ）に示す位相エラー信号を正確に検出し、正確なクロック信号をクロック再生部４０に出力することができる。
【０１３６】
本発明は以上説明した実施の形態には限定されるものではなく、種々の変形が可能である。
【０１３７】
上記第１の実施形態では、比較部４８がクロックカウンタ４７からのクロック数（カウント値）と、所定の値である２とを比較する例を示した。しかし、所定の値は２に限定されず、例えば３以上としてもよい。これにより、位相同期回路により、より確実に位相エラー信号を検出することができる。
【図面の簡単な説明】
【０１３８】
【図１】本発明の一実施形態に係る再生装置のブロック図である。
【図２】再生装置の光ピックアップの構成を示すブロック図である。
【図３】信号処理部の構成を示すブロック図である。
【図４】信号処理部の位相検出を説明するための図である。
【図５】再生装置の位相同期回路の動作を示すフローチャートである。
【図６】リミット位相ディテクタの動作を示すフローチャートである。
【図７】本発明に係る第２の実施形態の再生装置の情報信号処理部の構成を示すブロック図である。
【図８】信号処理部の位相検出を説明するための図である。
【図９】信号処理部の再生動作を示すフローチャートである。
【図１０】本発明に係る第３の実施形態の再生装置の情報信号処理部の構成を示すブロック図である。
【図１１】情報信号処理部の位相検出を説明するための図である。
【図１２】情報信号処理部の再生動作を示すフローチャートである。
【図１３】従来の位相エラー検出を説明するための図である。
【符号の説明】
【０１３９】
Ｌｂ  青色レーザ光
Ｌｒ  赤色レーザ光
Ｒ  基準面（層）
Ｎ  所定カウント値
Ｎｚ  ノイズ
Ａ、Ｂ、Ｃ、Ｄ  時刻（タイミング）
１  再生装置
２  制御部
７  光ピックアップ
１０  光ディスク
１１  情報光学系
１２  サーボ光学系
１３、６０、７０  信号処理部
１５、３１  レーザダイオード
１６  集光レンズ
２５、３５  フォトディテクタ
３９  位相同期回路
４６、６３、７３  ゼロクロス検出部
４７  クロックカウンタ
４８、７４  比較部
４０  クロック（データ）再生部
４２、５０、６４  フリップフロップ
４３  ループフィルタ
４４  デジタルＶＣＯ
５１  位相カウンタ５１
６２  レベル検出部
７２  差分演算部
【図１】
2010009637.tif 000003
【図２】
2010009637.tif 000004
【図３】
2010009637.tif 000005
【図４】
2010009637.tif 000006
【図５】
2010009637.tif 000007
【図６】
2010009637.tif 000008
【図７】
2010009637.tif 000009
【図８】
2010009637.tif 000010
【図９】
2010009637.tif 000011
【図１０】
2010009637.tif 000012
【図１１】
2010009637.tif 000013
【図１２】
2010009637.tif 000014
【図１３】
2010009637.tif 000015